(57)【要約】【課題】  電気光学装置において、選択された画素とデータ線駆動回路との距離が遠くなると、寄生抵抗，寄生容量などに起因して選択期間内に画素を十分に充電できない。【解決手段】  ある１本のラインＹとある１本のデータ線Ｘとの交差領域に対応して形成される電気光学物質から成る画素Ｍの各々に電圧を供給して、所定の充電期間内に前記画素を所定の電圧まで充電する電気光学装置であって、ラインＹのうちの１本に走査信号を供給するライン駆動回路２０と、データ線Ｘの一端よりデータ信号を供給する第１のデータ線駆動回路２２と、データ線Ｘの他端よりデータ信号を供給する第２のデータ線駆動回路４０とを有する。第２のデータ線駆動回路４０から供給されるデータ信号は、第１のデータ線駆動回路２２から供給されるデータ信号と比して階調表示精度が低く設定されている。【選択図】        図１２
2005321831.tif 000002
【特許請求の範囲】
【請求項１】
複数の走査線と複数のデータ線との交点に対応して形成され、電気光学物質から成る画素の各々に電圧を供給して、所定の充電期間内に前記画素を所定の電圧まで充電する電気光学装置であって、
前記複数の走査線のうちの１つを選択する走査信号を前記複数の走査線に順次供給する走査線駆動手段と、
前記複数のデータ線の各々の一端からデータ信号を供給する第１のデータ線駆動手段と、
前記複数のデータ線の各々の他端からデータ信号を供給する第２のデータ線駆動手段と、
前記第１のデータ線駆動手段でデータ線の各々にデータ信号が供給されるのと同期して、前記第２のデータ線駆動手段からデータ線の各々にデータ信号を供給する手段と、
を有し、
前記第２のデータ線駆動手段から供給されるデータ信号は、前記第１のデータ線駆動手段から供給されるデータ信号と比して階調表示精度が低く設定されていることを特徴とする電気光学装置。
【請求項２】
複数の走査線と複数のデータ線との交点に対応して形成され、電気光学物質から成る画素の各々に電圧を供給して、所定の充電期間内に前記画素を所定の電圧まで充電する電気光学装置であって、
前記複数の走査線のうちの１つを選択する走査信号を前記複数の走査線に順次供給する走査線駆動手段と、
前記複数のデータ線の各々の一端からデータ信号を供給する第１のデータ線駆動手段と、
前記複数のデータ線の各々の他端からデータ信号を供給する第２のデータ線駆動手段と、
前記走査線駆動手段で選択される走査線と、データ信号を供給する前記第１のデータ線駆動手段との距離に基づいて、前記第２のデータ線駆動手段からデータ線の各々にデータ信号を供給する手段と、
を有し、
前記第２のデータ線駆動手段から供給されるデータ信号は、前記第１のデータ線駆動手段から供給されるデータ信号と比して階調表示精度が低く設定されていることを特徴とする電気光学装置。
【請求項３】
請求項１または２に記載の電気光学装置を有することを特徴とする電子機器。
【発明の詳細な説明】
【技術分野】
【０００１】
本発明は、電気光学装置及び電子機器に関する。
【背景技術】
【０００２】
例えば、アクティブマトリックス方式のＴＦＴ（Thin Film Transistor）型液晶装置において、ＲＧＢデータはデータ線駆動回路でアナログ変換されて、液晶パネル内のデータ線にデータ信号電圧として供給される。電圧供給源でもあるデータ線駆動回路からデータ線の各々に供給されるデータ信号電圧は、選択された走査線に対応する各画素を充電する。このとき、特に大画面の液晶装置では、１フレーム期間内においてデータ線駆動回路に近い方から走査線が選択される場合、フレーム期間の最後になるほど、データ線駆動回路から、充電すべき画素までの距離が遠くなる。
【特許文献１】特開平８−３０２４０号公報
【特許文献２】特開平１０−１１１６７３号公報
【特許文献３】特開平１０−２６８８４２号公報
【特許文献４】特開昭６２−２１７２２５号公報
【特許文献５】特開平７−３１８８９８号公報
【特許文献６】特開平５−１１９７４８号公報
【特許文献７】特開平５−１７３５０４号公報
【特許文献８】特開平４−１８１２１３号公報
【発明の開示】
【発明が解決しようとする課題】
【０００３】
上述の液晶装置では、データ信号電圧がデータ線に供給される際、特に液晶パネルが大画面になるほど、配線抵抗・配線容量が大きくなり、配線遅延による影響が大きくなる。
【０００４】
この配線遅延を簡単にモデル化したＴ型またはπ型モデルを図２１に示す。図２１（ａ）は、液晶装置のデータ線駆動回路に相当する電圧供給源３００と、寄生抵抗Ｒ１〜Ｒ３を有するデータ線に相当するラインＬと、データ線および画素の寄生容量Ｃ1〜Ｃ3とを有して構成されている。
【０００５】
図２１（ｂ）は、電圧供給源３００からラインＬに電圧が供給されたとき、点Ｐ1〜Ｐ3の各点に接続されたそれぞれの容量Ｃ1〜Ｃ3が充電される経時変化を示している。点Ｐ1における容量Ｃ1は、電圧供給源３００から距離が最も近いため、急速に充電されている。このため、所定期間ｔ1〜ｔ2の間の時点ｔaで、必要電圧Ｖ1に達することができる。これに比べ、点Ｐ3における容量Ｃ3は、電圧供給源３００から最も距離が遠いため、緩やかな勾配の充電特性を示す。このために、所定期間ｔ1〜ｔ2の間では、必要電圧Ｖ1に達することができず、時点ｔcにおいて、ようやく必要電圧Ｖ1に達するようになる。
【０００６】
液晶装置にも上述のモデルを当てはめることができ、従来、選択された画素を所定期間内で、所定の電圧までに充電できないといった課題があった。
【０００７】
本発明では、このような課題に鑑みてなされ、その目的とするところは、選択された画素を所定時間内で所定電圧まで充電することができる電気光学装置及び電子機器を提供することにある。
【課題を解決するための手段】
【０００８】
上記課題を解決するために、本発明の一態様は、複数の走査線と複数のデータ線との交点に対応して形成され、電気光学物質から成る画素の各々に電圧を供給して、所定の充電期間内に前記画素を所定の電圧まで充電する電気光学装置であって、前記複数の走査線のうちの１つを選択する走査信号を前記複数の走査線に順次供給する走査線駆動手段と、前記複数のデータ線の各々の一端からデータ信号を供給する第１のデータ線駆動手段と、前記複数のデータ線の各々の他端からデータ信号を供給する第２のデータ線駆動手段と、前記第１のデータ線駆動手段でデータ線の各々にデータ信号が供給されるのと同期して、前記第２のデータ線駆動手段からデータ線の各々にデータ信号を供給する手段と、を有し、前記第２のデータ線駆動手段から供給されるデータ信号は、前記第１のデータ線駆動手段から供給されるデータ信号と比して階調表示精度が低く設定されていることを特徴とする。
【０００９】
本発明の一態様によれば、電気光学パネルの各データ線の両端からデータ信号電圧を供給することができ、寄生抵抗，寄生容量などに起因して選択期間内に画素を十分に充電できないといった問題を解決できる。
【００１０】
また、本発明の他の態様は、複数の走査線と複数のデータ線との交点に対応して形成され、電気光学物質から成る画素の各々に電圧を供給して、所定の充電期間内に前記画素を所定の電圧まで充電する電気光学装置であって、前記複数の走査線のうちの１つを選択する走査信号を前記複数の走査線に順次供給する走査線駆動手段と、前記複数のデータ線の各々の一端からデータ信号を供給する第１のデータ線駆動手段と、前記複数のデータ線の各々の他端からデータ信号を供給する第２のデータ線駆動手段と、前記走査線駆動手段で選択される走査線と、データ信号を供給する前記第１のデータ線駆動手段との距離に基づいて、前記第２のデータ線駆動手段からデータ線の各々にデータ信号を供給する手段と、を有し、前記第２のデータ線駆動手段から供給されるデータ信号は、前記第１のデータ線駆動手段から供給されるデータ信号と比して階調表示精度が低く設定されていることを特徴とする。
【００１１】
本発明の他の態様によれば、電圧供給源である第１のデータ線駆動手段と、選択された各画素との距離が近い場合は、第１のデータ線駆動手段のみ駆動し、距離が遠くなる場合には、第２のデータ線駆動手段を併用して駆動させることができる。このようすれば、必要な時に第２のデータ線駆動手段を駆動させればよく、寄生抵抗，寄生容量などに起因して選択期間内に画素を十分に充電できないといった問題を解決できるとともに、消費電力を低減できる。
【００１２】
さらに、本発明の一態様及び他の態様では、前記第２のデータ線駆動手段から供給されるデータ信号は、前記第１のデータ線駆動手段から供給されるデータ信号と比して階調表示精度が低く設定されていてもよい。この場合、第２のデータ線駆動手段は粗い階調表示のみを行ない、詳細な階調表示は第１のデータ線駆動手段が行なう。この第２のデータ線駆動手段のみでも、選択された画素が近ければ、急速に充電することができる。
【００１３】
また、本発明に係る電気光学装置を電子機器に適用することができる。
【発明を実施するための最良の形態】
【００１４】
以下、本発明の実施の形態について図面を参照して説明する。
【００１５】
（第１の実施形態）
図１は、本発明の第１の実施形態に係るＴＦＴ型液晶装置のブロック図を示している。
【００１６】
この液晶装置は、液晶パネル１０、信号制御回路部１２、階調電圧回路部１４、電源回路部１６、ライン駆動回路２０、データ線駆動回路２２および変圧回路２４などから構成されている。
【００１７】
ここで、液晶パネル１０内に形成された画素をＭ（１，１）〜Ｍ（ｍ，ｎ）で定義する。ライン駆動回路２０で駆動されるラインの総称はＹ、データ線駆動回路で駆動されるデータ線の総称はＸで表す。このうち、ある特定のラインを指定する場合はＹ1、Ｙ2、…、Ｙｎ、ある特定のデータ線を指定する場合はＸ1、Ｘ2、…、Ｘｍのようにそれぞれ表記する。なお、ｍ，ｎは自然数である。
【００１８】
液晶パネル１０は、（ｍ×ｎ）個（例えば、本実施形態では、ｍ＝８００，ｎ＝６００として説明する）の画素から構成されている。液晶パネル１０内の、ある１画素Ｍ（１，１）においては、薄膜トランジスタ素子（ＴＦＴ素子）３０のソースにはデータ線Ｘ1が、ゲートにはラインＹ1がそれぞれ接続されている。データ線Ｘ1〜Ｘｍはデータ線駆動回路２２及び変圧回路２４で、ラインＹ1〜Ｙｎはライン駆動回路２０でそれぞれ駆動される。ＴＦＴ素子３０のドレインには、画素電極３２が設けられている。この画素電極３２を一端として、容量３４に蓄えられている電圧が液晶層に印加される。なお、容量３４は、液晶層に印加される画素容量と、電圧を保持するための保持容量とから構成されている。また、図示しないが、通常、液晶層を介して画素電極３２と対向する対向電極が設けられている。
【００１９】
液晶パネル１０内には、上述のような画素Ｍ（１，１）と同じ構成を有する（ｍ×ｎ）個の画素が形成されている。
【００２０】
図１の液晶装置には、外部から電源、データ信号および同期信号が供給される。
【００２１】
信号制御回路部１２は、データ信号Ｄａ、クロック信号ＣＬＫ１および水平同期信号Ｈｓｙｎｃをデータ線駆動回路２２に供給する。データ線駆動回路２２は、例えば、各８ビットからなるＲＧＢ信号であるデータ信号Ｄａを、クロック信号ＣＬＫ１のタイミングでラッチする。この１ライン分のデータ信号Ｄａがラッチされた後に、水平同期信号Ｈｓｙｎｃがデータ線駆動回路２２に供給される。この水平同期信号Ｈｓｙｎｃに基づいて、ラッチされた１ライン分のデータ信号Ｄａがアナログ信号変換され、次いで、インピーダンス変換されて、データ線Ｘにデータ信号電圧Ｖｄとして供給される。
【００２２】
また、信号制御回路部１２は、クロック信号ＣＬＫ２および垂直同期信号Ｖｓｙｎｃをライン駆動回路２０に供給する。ライン駆動回路２０は、クロック信号ＣＬＫ２のタイミングで、順次、選択するラインＹを切換える。ある特定のラインＹが選択された期間に、そのラインＹに接続されたＴＦＴ素子３０のゲートをオンさせる電圧Ｖgが印加される。このゲートがオンされるのと同期して、データ線駆動回路２２から出力されたデータ信号電圧Ｖｄが、データ線Ｘに供給される。液晶パネル１０（画面）の全てのラインＹが走査された１フレーム期間後に、垂直同期信号Ｖｓｙｎｃがライン駆動回路２０に供給されることで、再び先頭からラインＹが走査される。
【００２３】
電源回路部１６は、階調電圧回路部１４、ライン駆動回路２０、データ線駆動回路２２および変圧回路２４などに電源を供給する。
【００２４】
次に、変圧回路２４について図２および図３を用いて、以下に説明する。
【００２５】
図２（ａ）は、データ線駆動回路２２の内部回路であるボルテージフォロワ１４２から供給されたデータ信号電圧Ｖｄが、変圧回路２４を介して、データ線Ｘに供給される図を示している。
【００２６】
この変圧回路２４は、電圧生成回路１３０、加算回路１４０およびスイッチング素子１４４を有して構成されている。
【００２７】
加算回路１４０は、入力電圧の和を反転出力する回路であり、リニアな充電特性を有する容量１３４と、データ線駆動回路２２から供給されるもとのデータ信号電圧Ｖｄとを重畳させる。なお、この容量１３４の電圧が重畳される期間は、スイッチング素子１４４の開閉により制御される。
【００２８】
電圧生成回路１３０は、図２（ａ）に示すように、定電流回路１３２、容量１３４およびスイッチング素子１３６などを有して構成されている。定電流回路１３２とスイッチング素子１４４とが、ボルテージフォロワ１３８を介して、直列に接続されている。さらに、ノードＡ1を一端として、容量１３４とスイッチング素子１３６とが並列に接続されている。この容量１３４とスイッチング素子１３６とは他端がともに接地されている。スイッチング素子１３６に供給される信号φW1は、フレーム期間毎に供給される垂直同期信号Ｖｓｙｎｃと同期して供給される。
【００２９】
この電圧生成回路１３０のタイミングチャートを図２（ｂ）に示す。
【００３０】
フレーム期間ｆに対応する信号である垂直同期信号Ｖｓｙｎｃに基いて供給される信号φW1により、スイッチング素子１３６は閉じ、容量１３４に蓄積された電荷は放電される。この後に、スイッチング素子１３６は開き、容量１３４は波形ＣW1に示すように、定電流回路５２により時間に比例して徐々に充電される。このように、容量１３４は、１フレーム期間ｆの間にリニアに、電圧０から電圧ＶW1にまで充電される充電特性を示す。
【００３１】
スイッチング素子１４４は、例えば、Ｐチャネル型ＭＯＳトランジスタで構成され、その開閉は図３に示すような計測回路１５０によって制御される。
【００３２】
計測回路１５０は、図３（ａ）に示すように、定電流回路１５２、容量１５４、スイッチング素子１５６およびバッファ回路１５８などを有して構成されている。この計測回路１５０では、定電流回路１５２とバッファ回路１５８は直列に接続されている。さらに、この中間点におけるノードＡ2を一端として、容量１５４とスイッチング素子１５６とが並列に接続されている。この容量１５４とスイッチング素子１５６とは他端がともに接地されている。スイッチング素子１５６に供給される信号φS1は、選択期間毎に計測回路１５０に供給される水平同期信号Ｈｓｙｎｃと同期して供給される。
【００３３】
この計測回路１５０のタイミングチャートを図３（ｂ）に示す。
【００３４】
各選択期間Ｈｎ（１≦ｎ≦６００）に対応する信号である水平同期信号Ｈｓｙｎｃに基いて供給される信号φS1により、スイッチング素子１５６は閉じ、容量１５４に蓄積された電荷は放電される。同時に、バッファ回路１５８からは「Ｌ」レベルの信号φS2が出力される。この後に、スイッチング素子１５６は開き、容量１５４は波形ＣS1に示すように、定電流回路１５２により時間に比例して徐々に充電される。これと同時に、ある時点ｔSにおいて、バッファ回路１５８からは「Ｈ」レベルの信号φS2が出力される。
【００３５】
したがって、図３（ｂ）に示す選択期間Ｈ1内の期間ｔS1〜ｔSでは、スイッチング素子１４４がオンし、変圧回路２４内の電圧生成回路１３０から供給された電圧は、計測回路１５０の制御により加算回路１４０に供給される。そして、昇圧されたデータ信号電圧Ｖaddがデータ線Ｘに供給される。一方、期間ｔS〜ｔS2の期間では、スイッチング素子１４４がオフし、電圧生成回路１３０で昇圧された電圧が加算回路１４０へ供給されず、もとのデータ信号電圧Ｖｄがデータ線Ｘに供給される。
【００３６】
また、図４には、このようにして、もとのデータ信号電圧Ｖｄを昇圧したデータ信号電圧Ｖaddが変圧回路２４によって生成されるときのタイミングチャートを示す。なお以下に示す図４〜図６において、この液晶装置は、１ドット毎に位相を反転し駆動される、ドット反転方式で駆動されている。
【００３７】
図４において、昇圧されたデータ信号電圧Ｖaddは、各選択期間Ｈ1〜Ｈｎ内のそれぞれで出力信号φS2が「Ｈ」レベルの電圧を出力するタイミングで、容量１３４の電圧ＣW1をデータ信号電圧Ｖｄに重畳させる形で生成される。このようにすることで、電圧供給源であるデータ線駆動回路２２と、選択された各画素との距離が遠くなるに従い、データ信号電圧Ｖｄに高い電圧を重畳させることが可能となる。
【００３８】
また変形例として図５、図６には、電圧ＣW1レベルを適当な回路を構成し、任意の関数で変換して、もとのデータ信号電圧Ｖｄにこの電圧ＣW1の変換後の電圧を重畳させたときのタイミングチャートを示す。
【００３９】
図５において、昇圧されたデータ信号電圧Ｖaddは、上述の図４と同様な昇圧タイミングで、図２に示す容量１３４の電圧ＣW1レベルをもとに発生させたＣW1×ＣW1に相当する電圧がさらにデータ信号電圧Ｖｄに重畳された形で生成される。このようにすることでも、もとのデータ信号電圧Ｖｄを昇圧する昇圧期間に、より高い電圧を重畳させることが可能となる。
【００４０】
また図６において、昇圧されたデータ信号電圧Ｖaddは、上述の図４と同様な昇圧タイミングで、図２に示す容量１３４の電圧ＣW1に、もとのデータ信号電圧Ｖｄレベルを対応させ重畳させた形で生成される。ここでは、ＣW1×Ｖｄに相当する電圧がデータ信号電圧Ｖｄに重畳される。このようにすることで、もとの各データ信号電圧Ｖｄに一律に同じ電圧レベルを重畳させるのではなく、もとのデータ信号電圧Ｖｄに対応して昇圧された電圧レベルを重畳させることが可能になる。
【００４１】
また、図７および図８には、変形例として、データ線駆動回路２２内に変圧回路を設けた場合の回路図を示している。
【００４２】
図７の変圧回路２００では、データ線Ｘにデータ信号電圧Ｖｄを供給する供給線上に、スイッチング素子２０２〜２０８および容量２１０が設けられている。スイッチング素子２０２、２０８はクロックパルスθによって、スイッチング素子２０４、２０６はクロックパルス／θによってそれぞれ開閉が制御される。クロックパルス／θはクロックパルスθの逆論理を示す信号である。また、クロックパルスθは、前述の出力信号φS2に基づいて供給される。このような構成としても、電圧生成回路１３０により充電された容量２１０を、もとのデータ信号電圧Ｖｄに重畳できる。
【００４３】
また、図８の変圧回路２２０では、スイッチング素子２２２、２２４により構成されるカレントミラー回路が設けられている。前述の出力信号φS2に基づいて、スイッチング素子１４４がオンすることで、電圧生成回路１３０により生成された電圧を、もとのデータ信号電圧に重畳できる。
【００４４】
なお、変圧回路２４において、電圧生成回路１３０、計測回路１５０等の時定数τを変えることで、容量１３４および容量１５４の充電特性を変化させることができる。
【００４５】
また、図３における計測回路１５０のバッファ回路１５８を構成するスイッチング素子のしきい値電圧Ｖthのそれぞれを変化させ、「Ｈ」および「Ｌ」レベルの出力のタイミングを変化させてもよい。例えば、バッファ回路１５８は、図１８（ａ）に示すように、２個のインバータ回路１００，１０１が直列に接続されている。インバータ回路１００は、Ｎチャネル型ＭＯＳトランジスタ１１０とＰチャネル型ＭＯＳトランジスタ１１１とから構成されている。インバータ回路１０１は、Ｎチャネル型ＭＯＳトランジスタ１１２とＰチャネル型ＭＯＳトランジスタ１１３とから構成されている。図１８（ｂ）は例えば、インバータ１００の断面図を示している。バッファ回路１５８がオンするまでの時間を変化させるには、例えば、インバータ１００のｐ型ウェル１０４の濃度、または、ｎ型ウェル１０５の濃度を変化させる。一例として、インバータ１００，１０１のＮ型ＭＯＳトランジスタ１１０および１１２のどちらか一方または両方のｎ型拡散層１０４の濃度をより高くすることで、しきい値電圧を低く設定できる。これにより、バッファ回路１５８を速やかにオンさせることができる。したがって、変圧回路２４で、もとのデータ信号電圧Ｖｄを昇圧するための期間を短くすることができる。
【００４６】
また、インバータ１００を構成するＮチャネル型ＭＯＳトランジスタ１１０，１１２およびＰチャネル型ＭＯＳトランジスタ１１１，１１３のそれぞれのゲート長やチャネル幅などを変更することで、しきい値電圧を変化させてもよい。
【００４７】
このように、時定数τおよびスイッチング素子自体の性能を変えることで、液晶パネル１０を最適に動作するように調整することができるようになる。
【００４８】
本実施の形態では、１フレーム期間内で、走査されるラインに対応した各画素に供給されるデータ信号電圧Ｖｄを、変圧回路により変圧する。このとき、選択された各画素とデータ線駆動回路との距離に基いて、その選択期間内のある一定期間内に、昇圧した高い電圧をデータ線Ｘに供給する。これにより、寄生抵抗，寄生容量などに起因して選択期間内に画素を十分に充電できないといった問題を解決できる。
【００４９】
（第２の実施形態）
図９は、第２の実施形態に係るＴＦＴ型液晶装置のブロック図を示している。
【００５０】
この液晶装置は、液晶パネル１０、信号制御回路部１２、階調電圧回路部１４、電源回路部１６、ライン駆動回路２０、データ線駆動回路２２、変圧回路２５およびカウンタ２６から構成されている。
【００５１】
信号制御回路部１２は、水平同期信号Ｈｓｙｎｃおよび垂直同期信号Ｖｓｙｎｃのそれぞれをカウンタ２６に供給する。このカウンタ２６は、水平同期信号Ｈｓｙｎｃ、つまり、１フレーム期間内で走査されたラインＹの数をカウントする機能を有している。
【００５２】
変圧回路２５は、例えば、カウンタ２６のカウント値に基づいて昇圧電圧のレベルを決定する昇圧回路と、もとのデータ信号電圧Ｖｄに昇圧回路からの電圧を重畳させる加算回路とを有して構成されている（図示しない）。
【００５３】
さて、図９の液晶装置の動作を、図１０に示したタイミングチャートを用いて説明をする。図９の液晶パネル１０は、例えば、（８００×６００）画素の解像度を有している。つまり、液晶パネル１０は、画素Ｍ（１，１）〜画素Ｍ（８００，６００）を有する。
【００５４】
図１０では便宜的に、液晶パネル１０を、画素Ｍ（１，１）〜画素Ｍ（１，１９９）、画素Ｍ（１，２００）〜画素Ｍ（１，３９９）および画素Ｍ（１，４００）〜画素Ｍ（１，６００）の３領域に分けて説明する。図１０は、この３領域に分けたうちの３つの画素、画素Ｍ（１，１）、Ｍ（１，２００）およびＭ（１，４００）のそれぞれについての充電特性の一例を示したものである。この場合、３つの画素Ｍ（１，１）、Ｍ（１，２００）及びＭ（１，４００）のそれぞれには、データ線駆動回路２２から所定の電圧Ｖ1が印加されている。
【００５５】
図１０（ａ）は、ラインＹ1が選択され、それに対応する画素Ｍ（１，１）が充電される様子を示している。画素Ｍ（１，１）は、ラインＹ1が選択される選択期間ｔ内の時点ｔaで、所定電圧Ｖ1にまで充電されている。
【００５６】
図１０（ｂ）は、選択されたラインＹ200に対応する画素Ｍ（１，２００）が充電される様子を示している。ここで、前述の図２１で説明したように、データ線駆動回路２２から、充電される各画素までの距離が遠くなるほど、画素の充電特性は緩やかな勾配を描く。図１０（ｂ）に示す曲線Ｃbは、データ線駆動回路２２から供給されるデータ信号電圧Ｖ1で、画素Ｍ（１，２００）が充電される様子を示している。この場合、選択期間ｔ内の終わりに近づく時点ｔ2でようやく所定電圧Ｖ1に達している。しかし、図１０（ｃ）に示す曲線Ｃcは、データ線駆動回路２２から、充電される画素までの距離がさらに遠くなるため、画素の充電特性は、より緩やかな勾配を描くことになる。このために選択期間ｔ内では所定電圧Ｖ1に達することができない。このような充電特性を改善するために、選択期間ｔ内に、一定期間、所定電圧よりも高い電圧を印加することで、画素を急速に充電する。
【００５７】
ここで、図１０（ｂ）で画素Ｍ（１，２００）が選択される場合には、このカウンタ２６のカウンタ値は２００を示していることになる。この際、変圧回路２５はこのカウント値２００に基づいて、データ線駆動回路２２から供給されるデータ信号電圧Ｖ1を昇圧する。この昇圧された後のデータ信号電圧Ｖ2が、期間ｔ1〜ｔb1の間に画素Ｍ（１，２００）に供給される。時点ｔb1以降は、画素Ｍ（１，２００）に供給される電圧は、もとのデータ信号電圧Ｖ1に切換り、時点ｔb2において、所定電圧Ｖ1で安定する。
【００５８】
図１０（ｃ）では、同様に、変圧回路２５で昇圧された後のデータ信号電圧Ｖ3が、期間ｔ1〜ｔc1の間に画素Ｍ（１，４００）に供給される。時点ｔc1以降は、画素Ｍ（１，４００）に供給される電圧は、もとのデータ信号電圧Ｖ1に切換り、時点ｔc2において、所定電圧Ｖ1で安定する。
【００５９】
なお、昇圧された電圧Ｖ2は、所定電圧Ｖ1よりも高く、かつ、時点ｔb1で電圧Ｖ1レベルに切換えたとき、選択期間ｔ内で電圧をＶ1に安定させることができるように設定される。同様に、昇圧された電圧Ｖ3は、電圧Ｖ2よりも高く、かつ、時点ｔc1で電圧Ｖ1レベルに切換えたとき、選択期間ｔ内で電圧をＶ1に安定させることができるように設定される。逆に、時点ｔb1，ｔc1は共に、選択時間ｔ内で所定電圧Ｖ1レベルで安定させるために、時点ｔ1から短期間の時点に設定されることが望ましい。
【００６０】
ここで、図１１には、本実施形態における別の実施例を示す。図１１は、図１０で設定したデータ信号電圧Ｖ1を昇圧する期間を変えたときの充電特性を示している。上述の３領域である、画素Ｍ（１，１）〜Ｍ（１，１９９）、画素Ｍ（１，２００）〜Ｍ（１，３９９）、画素Ｍ（１，４００）〜Ｍ（１，６００）のそれぞれには、データ線駆動回路２２からデータ信号電圧Ｖ1が供給される。
【００６１】
図１１（ｂ）では、データ信号電圧Ｖｄをｔ1〜ｔb3の期間で昇圧している。このｔ1〜ｔb3の期間は、対応する図１０（ｂ）のｔ1〜ｔb1の期間よりも短く設定されている。これにより時点ｔb4で所定の電圧Ｖ1に達している。図１１（ｃ）でも同様に、ｔ1〜ｔc3の期間は、対応する図１０（ｃ）のｔ1〜ｔc1の期間よりも短くなっている。これにより時点ｔc4で所定の電圧Ｖ1に達する。
【００６２】
以上、図１０および図１１で示したように、所定電圧Ｖ1をある電圧レベルまで昇圧させること、およびその昇圧された電圧を印加する期間を変化させることによって、所定期間ｔ内で選択された各画素が充電されるように制御することができる。
【００６３】
なお、本実施の形態では、一例として３つの領域に液晶パネル１０を分け、それぞれの領域の各画素に、変圧回路２５で昇圧されたデータ信号電圧Ｖaddを供給していた。しかし、本発明では、特にこの３つの領域に限定されるものではなく、さらに多くの領域に液晶パネルを分けて、それぞれの領域に異なる昇圧されたデータ信号電圧Ｖｄを供給してもよい。さらに詳しくは、図９において水平同期信号Ｈｓｙｎｃがカウンタ２６に供給される毎、つまり、１本のラインが選択される毎に、画素の各々に供給されるデータ信号電圧Ｖｄを順次、変圧回路２５で昇圧してもよい。
【００６４】
また、前述したのと同様に、変圧回路２５内に設けられた各装置の時定数τ、スイッチング素子自体の特性を変化させることで、充電特性を変化させることができる。これにより、昇圧されたデータ信号電圧Ｖaddをデータ線Ｘのそれぞれに供給する期間を適宜、変更することができるようになる。
【００６５】
このように、本実施の形態では、１フレーム期間内で、走査駆動されるラインに対応した各画素に供給されるデータ信号電圧を、変圧回路により変圧する。このとき、選択された各画素とデータ線駆動手段との距離に基いて、その選択期間内のある一定期間内に、昇圧した高い電圧をデータ線Ｘに供給する。これにより、寄生抵抗，寄生容量などに起因して選択期間内に画素を十分に充電できないといった問題を解決できる。
【００６６】
（第３の実施形態）
図１２の液晶装置は、液晶パネル１０、信号制御回路部１２、階調電圧回路部１４、電源回路部１６、ライン駆動回路２０、データ線駆動回路２２およびデータ線補助駆動回路４０などから構成されている。ここでは例えば、各８ビットのＲＧＢ信号Ｄａがデータ線駆動回路２２に供給される。
【００６７】
図１２の液晶装置には、外部から電源、データ信号および同期信号が供給される。
【００６８】
なお、図１２のデータ線補助駆動回路４０以外の装置の動作については、前述の図１の説明と同様である。
【００６９】
信号制御回路部１２は、クロック信号ＣＬＫ１、データ信号Ｄａおよび水平同期信号Ｈｓｙｎｃのそれぞれの信号を、データ線補助駆動回路４０に供給する。データ線補助駆動回路４０には、各８ビットのＲＧＢデータ信号Ｄａ、またはそれよりも低い階調数のＲＧＢデータ信号Ｄａ´が供給される。本実施の形態では、このＲＧＢデータ信号Ｄａとして、各８ビットのＲＧＢデータ信号Ｄａがデータ線補助駆動回路４０に供給される。
【００７０】
データ線補助駆動回路４０は、各８ビットからなるＲＧＢデータ信号Ｄａを、クロック信号ＣＬＫ１のタイミングでラッチする。１ライン分のＲＧＢデータ信号Ｄａがラッチされるのに同期して、水平同期信号Ｈｓｙｎｃがデータ線補助駆動回路４０に供給される。この水平同期信号Ｈｓｙｎｃに基づいて、ラッチされたＲＧＢデータ信号Ｄａがアナログ信号変換され、次いで、インピーダンス変換されてデータ線Ｘに供給される。
【００７１】
階調電圧回路部１４は、階調表示を行なうため、データ線駆動回路２２及びデータ線補助駆動回路４０のそれぞれに、同じ電圧範囲に設定された基準電圧を供給する。
【００７２】
さて、図１２の液晶装置には、データ線駆動回路２２及びデータ線補助駆動回路４０のそれぞれ２つの駆動回路が、液晶パネル１０に対して、互いに対向する位置に設けられている。従来では、データ線駆動回路２２のみによって液晶パネル１０を駆動していた。しかし、図１２に示す本実施形態の液晶装置では、電圧供給源であるデータ線駆動回路２２から最も遠くにあるラインＹ600の方向から、データ線補助駆動回路２２で、データ線Ｘのそれぞれにデータ信号電圧Ｖｄを供給している。つまり、データ線駆動回路２２ではデータ線Ｘの一端から、データ線補助駆動回路４０ではデータ線Ｘの他端から、それぞれデータ信号電圧をデータ線Ｘに供給している。
【００７３】
図１２の液晶装置を基に、図１３のタイミングチャートで動作を説明する。データ線補助駆動回路４０はデータ線駆動回路２２と併用して駆動されている。以下には便宜的に、液晶パネル１０を２つの領域である、画素Ｍ（１，１）〜画素Ｍ（１，２９９）および画素（１，３００）〜画素（１，６００）のそれぞれに分けた場合について説明する。図１３では、画素（１，１）、画素（１，３００）および画素（１，６００）の３つの画素それぞれについての充電特性を示している。曲線Ｃkは、比較のために、従来駆動での充電特性を示したものである。
【００７４】
図１３（ａ）では、電圧供給源であるデータ線駆動回路２２と、選択された画素（１，１）との距離が近いため、画素（１，１）は急速に充電され、選択期間ｔ内の時点ｔiで所定電圧Ｖ1に達している。
【００７５】
図１３（ｂ）では、電圧供給源であるデータ線駆動回路２２、およびデータ線補助駆動回路４０と、選択された画素（１，３００）との距離がほぼ同じである。このため、多少緩やかな勾配の充電特性を示し、選択期間ｔ内の時点ｔjで所定電圧Ｖ1に達している。
【００７６】
図１３（ｃ）では、電圧供給源であるデータ線補助駆動回路４０と、選択された画素（１，６００）との距離が近いため、画素（１，６００）は急速に充電され、選択期間ｔ内の時点ｔkで所定電圧Ｖ1に達している。本実施形態での各画素の充電特性は、ラインＹ300を基準として、ほぼ対称的な充電特性を示すことになる。
【００７７】
なお、本実施形態では、データ線駆動回路２２とデータ線補助駆動回路４０とは同等の階調表示を行なっていたが、データ線補助駆動回路４０は上述したように、データ線駆動回路２２よりも低い階調表示を行なうものであってもよい。例えば、図１４（ａ）に示すように、データ線駆動回路２２の８ビットデータ信号Ｄａ（１０１０１０１０）に対して、上位４ビットのデータ信号Ｄａ´（１０１０）のみをデータ線補助駆動回路４０に供給してもよい。ただし、データ線駆動回路２２およびデータ線補助駆動回路４０からデータ線Ｘに供給される電圧振幅の範囲は、同じに設定される。図１４（ｂ）に示すように、データ線駆動回路２２からデータ線Ｘに供給されるデータ信号電圧Ｖ11,12に対して、データ線補助駆動回路４０からは、データ信号電圧Ｖ11がデータ線Ｘに供給される。このように、データ線補助駆動回路４０で粗いデータ信号電圧をデータ線Ｘに供給しても、図１３（ｃ）に示した充電特性とほぼ同様に、充電特性の改善が得られる。
【００７８】
このように、液晶パネルに対して対向するように設けられた２つのデータ線駆動回路を駆動させることで、寄生抵抗，寄生容量などに起因して選択期間内に画素を十分に充電できないといった問題を解決できる。
【００７９】
（第４の実施形態）
図１５の液晶装置は図１２に示した液晶装置に、カウンタ２７が設けられている。また、データ線補助駆動回路４２が図１２のデータ線補助駆動回路４０の代わりに設けられている。このデータ線補助駆動回路４２は、さらにカウンタ２７から供給されるカウント値に基づいて、その駆動が制御される機能を有している。
【００８０】
カウンタ２７には、水平同期信号Ｈｓｙｎｃおよび垂直同期信号Ｖｓｙｎｃが入力される。この水平同期信号Ｈｓｙｎｃに基いて、１フレーム期間内で走査されたラインＹの数をカウントし、さらに、データ線駆動回路２２およびデータ線補助駆動回路４０にカウント値を供給している。カウンタ２７は、１フレーム期間終了時には、垂直同期信号Ｖｓｙｎｃでリセットされる。
【００８１】
データ線駆動回路２２は、例えば、各８ビットのＲＧＢデータ信号Ｄａが供給される。データ線補助駆動回路４２には、各８ビットまたはそれよりも低い階調のＲＧＢデータ信号Ｄａ´が供給される。本実施の形態では、このＲＧＢデータ信号Ｄａのうちの上位各４ビットの粗いＲＧＢデータ信号Ｄａ´が、データ線補助駆動回路４２に供給される。
【００８２】
さて、図１５の液晶装置には、前述の図１２の液晶装置と同様に、データ線駆動回路２２およびデータ線補助駆動回路４２のそれぞれ２つの駆動回路が、液晶パネル１０に対して、互いに対向する位置に設けられている。データ線駆動回路２２ではデータ線Ｘの一端から、データ線補助駆動回路４２ではデータ線Ｘの他端からそれぞれデータ信号電圧をデータ線Ｘに供給している。
【００８３】
本実施形態では、電圧供給源であるデータ線駆動回路２２と、選択された画素との距離に従って、データ線補助駆動回路４２の駆動が制御される。
【００８４】
この動作を、図１５の液晶装置を基に、図１６のタイミングチャートで説明する。なお、液晶パネル１０は便宜的に２つの領域である、画素Ｍ（１，１）〜画素Ｍ（１，２９９）および画素（１，３００）〜画素（１，６００）に分けた場合について説明する。なお、曲線Ｃhは、比較のために、従来駆動での充電特性を示したものである。
【００８５】
図１６（ａ）では、カウンタ２７には、始めの水平同期信号Ｈｓｙｎｃが入力されカウント値は１となる。このカウント値に基づいて、図１５におけるデータ線駆動回路２２のみが駆動されるか、または、データ線補助駆動回路４２も併用して駆動されるかが決定される。本実施の形態では、カウント値１〜２９９では、データ線駆動回路２２のみが駆動され、カウント値３００〜６００では、データ線補助駆動回路４２もフレーム期間内のある一定期間、併用して駆動される。したがって、図１６（ａ）では、データ線駆動回路２２のみが駆動され、選択期間ｔ内の、時点ｔgにおいて、所定電圧Ｖ1で安定している。
【００８６】
図１６（ｂ）では、カウンタ２７のカウント値は４００となっている。したがって、データ線駆動回路２２およびデータ線補助駆動回路４２が同時に駆動されている。このデータ線補助駆動回路４２は、データ線駆動回路２２に供給される８ビットの各ＲＧＢ信号Ｄａの情報のうち、上位４ビットの各ＲＧＢ信号Ｄａ´を供給する。前述の図１４を用いて改めて説明する。このデータ線補助駆動回路４２は、例えば、図１４（ａ）に示すように、８ビットの信号データＤａ（１０１０１０１０）のうち、上位４ビットの信号データＤａ´（１０１０）をデータ線Ｘのそれぞれに供給する。ここで、階調電圧回路部１４から供給される基準電圧の電圧範囲は、データ線駆動回路２２とデータ線補助駆動回路４２とも同じである。したがって、図１４（ｂ）に示したように、データ線補助駆動回路４２からは、信号データＤａ´（１０１０）に対応したデータ信号電圧Ｖ11が、データ線Ｘ1に供給される。この１６階調のデータ信号電圧Ｖ11は、本来画素Ｍ（１，４００）に供給すべき電圧Ｖ11,12と比べ、粗くかつ僅かに低い電圧となっている。しかし、電圧供給源であるデータ線補助駆動回路４２と、画素Ｍ（１，６００）との距離が近いために、データ線駆動回路２２のみ駆動した場合と比べて、画素Ｍ（１，４００）の充電が急速に行なわれる。図１３（ｂ）に示す本実施の形態では、期間ｔ1〜ｔh1までデータ線補助駆動回路４２の駆動を併用することで、選択期間ｔ内の時点ｔh2で、画素Ｍ（１，４００）を所定電圧Ｖ1にまで充電できるようになる。
【００８７】
なお、本実施の形態では、一例として、ラインＹ300が走査された時点の前後で２つの領域に液晶パネル１０を分け、一方の領域では、データ線駆動回路２２のみ駆動させ、他方の領域では、データ線駆動回路２２に加えてデータ線補助駆動回路４２を駆動させた。しかし、本発明では、特にラインＹ300を境界として、データ線補助駆動回路４２を駆動させるか否かを決定するように限定されるものではない。各画素の充電特性を考慮しながら、データ線補助駆動回路４０を駆動するタイミングを決定するのが望ましい。
【００８８】
本実施形態では、１フレーム期間内のある時点を境界として、データ線補助駆動回路４２の駆動を行なうか否かを決定している。このようにすることで、常にデータ線駆動回路２２と併用してデータ線補助駆動回路４２を駆動させる場合と比べて、消費電力を抑えられる。
【００８９】
また、例えば、本実施の形態では８ビットのデータ線駆動回路２２に対して、４ビットのデータ線補助駆動回路４２を用いたが、６ビットまたは２ビットなどのデータ線補助駆動回路４２を用いてもよい。これに伴い、本実施形態で用いた各８ビットのＲＧＢデータ信号Ｄａのうち、上位各４ビットではなく、上位各６ビットまたは上位各２ビットなどのＲＧＢデータ信号Ｄａ´がデータ線補助駆動回路４２に供給される。
【００９０】
さらには、本実施形態では１フレーム期間で、あるラインＹが走査されるときを境界として、データ線駆動回路２２とデータ線補助駆動回路４２を併用して駆動させていた。しかし、上述の図１６（ｂ）に該当する領域では、選択期間ｔ内の一定期間ｔ1〜ｔh1はデータ線補助駆動回路４２のみを、選択期間ｔ内の時点ｔh1後はデータ線駆動回路２２のみをそれぞれ駆動させるようにしてもよい。このようにすることでも充電特性を改善することができると同時に、消費電力の低減にもつながる。
【００９１】
このように、液晶パネルに対して対向するように設けられた２つのデータ線駆動回路を駆動させることで、寄生抵抗，寄生容量などに起因して選択期間内に画素を十分に充電できないといった問題を解決できる。
【００９２】
（第５の実施形態）
また、図２０は、前述の図１の液晶装置の変形例として、例えば４つＩＣ（Integrated Circuit）であるライン駆動回路２０−１、２０−２、２０−３および２０−４が直列に接続されてなる液晶装置を示している。このような場合、例えば、ライン駆動回路２０−１でのラインの走査が終了すると、それを伝えるための信号であるイネーブル信号がカウンタ２８に送られる。このイネーブル信号はカウンタ２８によりカウントされる。このカウント値に基づいて、ライン駆動回路２０−１、２０−２、２０−３および２０−４のそれぞれで、異なるデータ信号電圧をデータ線Ｘに供給できるようになる。
【００９３】
図示しないが、他の図１２，１５などの液晶装置において、ライン駆動回路２２が複数のライン駆動回路から構成される場合についても同様に、イネーブル信号のカウント値に基いて、各ライン駆動回路に異なるデータ信号電圧をデータ線Ｘに供給できるようになる。
【００９４】
（カウンタの変形例）
前述の実施形態では、カウンタ２６、２７、２８によりデータ信号電圧Ｖｄを昇圧するタイミングまたは、データ線補助駆動回路４０、４２を駆動するタイミングを決定していた。しかし、次に示すような計測回路で、前述のそれぞれのタイミングを決定してもよい。以下に図１７を用いて、カウンタ２６に代えて設けられた計測回路の構成と、その計測回路を有する液晶装置の動作を説明する。
【００９５】
図１７（ａ）は、計測回路１７０の構成を、図１７（ｂ）は、そのタイミングチャートを示した図である。
【００９６】
図１７（ａ）の計測回路１７０は、定電流回路１７２、容量１７４、スイッチング素子１７６およびバッファ回路１７８を有して構成されている。定電流回路１７２とバッファ回路１７８とが直列に接続されている。さらに、この中間点におけるノードＡ3を一端として、容量１７４とスイッチング素子１７６とが並列に接続されている。この容量１７４とスイッチング素子１７６とは他端がともに接地されている。スイッチング素子１７６に供給される信号φr1は、フレーム期間毎に計測回路１７０に供給される垂直同期信号Ｖｓｙｎｃと同期して供給される。
【００９７】
図１７（ｂ）は、この計測回路１７０のタイミングチャートを示している。フレーム期間毎ｆに対応して供給される信号である垂直同期信号Ｖｓｙｎｃに基いて供給される信号φr1により、スイッチング素子１７６は閉じ、容量１７４に蓄積された電荷は放電されるとともに、バッファ回路１７８からは「Ｌ」レベルの信号φr2が出力される。この後に、スイッチング素子１７６は開き、容量１７４は波形Ｃr1に示すように、定電流回路１７２により時間に比例して徐々に充電される。これと同時に、ある時点ｔrにおいて、バッファ回路１７８からは「Ｈ」レベルの信号φr2が出力される。
【００９８】
前述のカウンタ２６では、入力された水平同期信号Ｈｓｙｎｃをカウントするデジタル回路で制御されていた。図１７に示す計測回路１７０では、定電流回路１７２により容量１７４が充電されて、バッファ回路１７８がオンするタイミングを計測するアナログ回路で制御されている。図９において、このような計測回路１７０を、カウンタ２６の代わりに用いることでも、電圧供給源であるデータ線駆動回路２２と、充電される各画素との距離に従って、データ線Ｘに供給する電圧を変化させることができる。この場合、図９の液晶装置においては、ｔr〜ｔr2の期間は変圧回路２５が駆動され、選択期間ｔ内のある一定期間、昇圧されたデータ信号電圧Ｖｄがデータ線Ｘに供給される。この計測回路１７０は、図９，１５に示す液晶装置のカウンタ２６、２７の代わりに用いても同様に制御できる。
【００９９】
カウンタ２６では、カウンタ値によって、データ信号電圧Ｖｄを昇圧するか否かを判別できた。計測回路１７０では、バッファ回路１７８がオンするまでの時間を変えることで、同様に、データ信号電圧Ｖｄを昇圧するか否かを判別できる。
【０１００】
また、この計測回路１７０の時定数τを変えることで、容量１７４の充電特性を変化させることができる。また、計測回路１７０のバッファ回路１７８を構成するスイッチング素子のしきい値電圧Ｖthのそれぞれを変化させ、「Ｈ」および「Ｌ」レベルの出力のタイミングを変化させてもよい。
【０１０１】
このように、計測回路１７０を用いることでも、１フレーム期間内で、容量が充電されるまでの時間Ｔのタイミングを適当に設定することができる。このタイミングを利用して、変圧回路２５により、時間Ｔの前後に印加されるデータ信号の電圧を変化させることができる。
【０１０２】
また、図１７の計測回路１７０では、１つのバッファ回路１７８を有することで、ｔr1〜ｔrの期間と、ｔr〜ｔr2の期間との２つの期間に設定できたが、さらに、複数のバッファ回路を設けることで、複数の期間を設定することができる。
【０１０３】
図１９（ａ）の計測回路１８０は、例えば、３個のバッファ回路１７８−１、１７８−２および１７８−３が、ノードＡ3を一端としてそれぞれ並列に接続されている。この３個のバッファ回路１７８−１、１７８−２および１７８−３の論理信号φ１０〜φ１２はそれぞれ、図１９（ｂ）に示すように、論理出力のタイミングが異なるように設定されている。図１９（ａ）の場合、例えば、３つのバッファ回路１７８−１、１７８−２および１７８−３の論理出力のそれぞれについて、ＮＡＮＤ回路あるいはＮＯＲ回路などを適当に組合せることで、データ信号電圧Ｖｄにさらに電圧を重畳させるタイミングを決定することができる。
【０１０４】
このように計測回路１８０を構成することで、ｔ1〜ｔm1、ｔm1〜ｔm2、ｔm2〜ｔm3およびｔm3〜ｔ2の４つの期間を設定することができる。例えば図９においては、このそれぞれの期間で、データ線駆動回路２２から供給されるデータ信号電圧Ｖｄを変圧回路２５で変圧することで、選択された各画素の充電特性を改善することができるようになる。
【０１０５】
なお、本発明は上記実施形態に限定されるものではなく、本発明の要旨の範囲内で種々の変形実施が可能である。例えば、本発明は上述のＴＦＴ型の液晶装置の駆動に適用されるものに限らず、単純マトリックスによる画像表示装置や、２端子素子からなるＴＦＤ（Thin Film Diode）、エレクトロルミネッセンス（ＥＬ）、プラズマディスプレイ装置等を用いた画像表示装置にも適用可能である。
【０１０６】
本発明は、電気光学装置を備えた、例えば、携帯電話、ゲーム機器、電子手帳、パーソナルコンピュータ、ワードプロセッサ、テレビおよびカーナビゲーション装置など各種の電子機器に適用することができる。
【図面の簡単な説明】
【０１０７】
【図１】第１の実施形態の液晶装置を示す図である。
【図２】（ａ）は図１の液晶装置内に設けられた変圧回路を示す図である。（ｂ）はその変圧回路の動作を説明するためのタイミングチャートである。
【図３】（ａ）は図１の変圧回路内に設けられた計測回路を示す図である。（ｂ）はその計測回路の動作を説明するためのタイミングチャートである。
【図４】図２に示す変圧回路を用いた液晶装置のタイミングチャートを示す図である。
【図５】他の形態を有する変圧回路を用いた液晶装置のタイミングチャートを示す図である。
【図６】さらに他の形態を有する変圧回路を用いた液晶装置のタイミングチャートを示す図である。
【図７】図２（ａ）に示す変圧回路の内部回路の変形例である。
【図８】図２（ａ）に示す変圧回路の内部回路の別の変形例である。
【図９】第２の実施形態の液晶装置を示す図である。
【図１０】図９に示す液晶装置の画素Ｍ（１，１）、Ｍ（１，２００）およびＭ（１，４００）それぞれの充電特性を示す図である。
【図１１】図９に示す液晶装置の画素Ｍ（１，１）、Ｍ（１，２００）およびＭ（１，４００）それぞれの充電特性を示す他の図である。
【図１２】第３の実施形態の液晶装置を示す図である。
【図１３】図１２に示す液晶装置の画素Ｍ（１，１）、Ｍ（１，３００）およびＭ（１，６００）それぞれの充電特性を示す図である。
【図１４】（ａ）は第３，４の実施形態でのデータ線補助駆動回路に供給されるデータ信号を説明するための図である。（ｂ）は第３，４の実施形態で、データ線駆動回路およびデータ線補助駆動回路のそれぞれからデータ線Ｘに供給される電圧を示した図である。
【図１５】第４の実施形態の液晶装置を示す図である。
【図１６】図１５に示す液晶装置の画素Ｍ（１，１）およびＭ（１，４００）それぞれの充電特性を示す図である。
【図１７】（ａ）は１フレーム期間を計測する計測回路を示す図である。（ｂ）は計測回路の動作を説明するためのタイミングチャートである。
【図１８】（ａ）はバッファ回路を示す図である。（ｂ）はインバータの断面図である。
【図１９】（ａ）は図１７の計測回路に複数のバッファ回路を並列に接続した、別の計測回路を示す回路図である。（ｂ）はこの計測回路のタイミングチャートを示す図である。
【図２０】第５の実施形態の液晶装置を示す図である。
【図２１】（ａ）はＴ型またはπ型モデルの回路図である。（ｂ）は容量Ｃ1、Ｃ2およびＣ3のそれぞれの充電特性を示す図である。
【符号の説明】
【０１０８】
１０  液晶パネル、  １２  信号制御回路、  １４  階調電圧回路部、  １６  電源回路部、  ２０，２０−１，２０−２，２０−３，２０−４  ライン駆動回路、  ２２  第１のデータ線駆動回路、  ２４，２５  変圧回路、  ２６，２７，２８  カウンタ、  ３０  ＴＦＴ素子、  ３２  画素電極、  ３４  画素容量および保持容量、  ４０，４２  第２のデータ線駆動回路、  １００，１０１  インバータ、  １０４  ｎ型拡散層、  １０５  ｐ型拡散層、  １１０，１１２  Ｎチャネル型ＭＯＳトランジスタ、  １１１，１１３  Ｐチャネル型ＭＯＳトランジスタ、  １３０  電圧生成回路、  １３２  定電流回路、  １３４  容量、  １３６  スイッチング素子、  １３８  ボルテージフォロワ、  １４０  加算回路、  １４２  ボルテージフォロワ、  １４４  スイッチング素子、  １５０  計測回路、  １５２  定電流回路、  １５４  容量、  １５６  スイッチング素子、  １５８  バッファ回路、  １７０  計測回路、  １７２  定電流回路、  １７４  容量、  １７６  スイッチング素子、  １７８，１７８−１，１７８−２，１７８−３，１７８−４  バッファ回路、  １８０  計測回路、  ２００  変圧回路、  ２０２，２０４，２０６，２０８  スイッチング素子、  ２１０  容量、  ２１２  ボルテージフォロワ、  ２２０  変圧回路、  ２２２，２２４  スイッチング素子、  ２２６  ボルテージフォロワ、  ３００  電圧供給源
【図１】
2005321831.tif 000003
【図２】
2005321831.tif 000004
【図３】
2005321831.tif 000005
【図４】
2005321831.tif 000006
【図５】
2005321831.tif 000007
【図６】
2005321831.tif 000008
【図７】
2005321831.tif 000009
【図８】
2005321831.tif 000010
【図９】
2005321831.tif 000011
【図１０】
2005321831.tif 000012
【図１１】
2005321831.tif 000013
【図１２】
2005321831.tif 000014
【図１３】
2005321831.tif 000015
【図１４】
2005321831.tif 000016
【図１５】
2005321831.tif 000017
【図１６】
2005321831.tif 000018
【図１７】
2005321831.tif 000019
【図１８】
2005321831.tif 000020
【図１９】
2005321831.tif 000021
【図２０】
2005321831.tif 000022
【図２１】
2005321831.tif 000023
【手続補正書】
【提出日】平成17年7月19日(2005.7.19)
【手続補正１】
【補正対象書類名】図面
【補正対象項目名】図１２
【補正方法】変更
【補正の内容】
【図１２】
2005321831.tif 000024